(57)【要約】      （修正有）【課題】麹から麹水を簡単に作成できる麹抽出用バッグを提供する。【解決手段】麹抽出用バッグ１は、粉体状の乾燥した米麹３を、袋状に形成した抽出用袋体２に収容した構成とする。抽出用袋体２に収容される米麹３の量は、米麹３が水分を含んで膨張した場合の体積が抽出用袋体２の容積よりも小さくなるように調整されている。抽出用袋体２は不織布や濾紙等により矩形形状に形成した構成、または、ナイロン等によりピラミッド形状又はテトラ形状に形成した構成とする。【選択図】図１
0003225868.tif 000002
【実用新案登録請求の範囲】
【請求項１】
粉体状の乾燥した麹を、袋状に形成した抽出用袋体に収容したことを特徴とする麹抽出用バッグ。
【請求項２】
請求項１において、
前記抽出用袋体に収容される麹の量は、当該麹が水分を含んで膨張した場合の体積が前記抽出用袋体の容積よりも小さくなるように調整されていることを特徴とする麹抽出用バッグ。
【考案の詳細な説明】
【技術分野】
【０００１】
本考案は、米麹を不織布等により袋状に形成した抽出用袋体内に詰めた技術に関する。
【背景技術】
【０００２】
米麹は蒸した米に麹菌を付着させ、繁殖・発酵されたもので、味噌や醤油、味醂などの原料として使われ、また甘酒にも使われ、さらには化粧水、飲料水として使用されている（非特許文献１）。非特許文献１には、生麹を不織布や布袋に入れ、次いでピッチャーやボウルに注いだ常温の水に生麹入りの布袋を沈めて冷蔵庫で一晩寝かせて麹水を作成することが記載されている。
【先行技術文献】
【非特許文献】
【０００３】
【非特許文献１】麹水こうじ水の作り方！高血圧やダイエット効果など効能てんこ盛り、［令和１年１０月１１日検索］、インターネット（ＵＲＬ：http://isyairazu.com/archives/5483）
【考案の概要】
【考案が解決しようとする課題】
【０００４】
ところで、非特許文献１では、麹水の作成に約２４時間を要し、麹から麹水を簡単に作成して美容液や飲料水を得るとは言い難かった。
【０００５】
本考案は、麹から麹水を簡単に作成できる麹抽出用バッグを提供することを目的とする。
【課題を解決するための手段】
【０００６】
〔考案１〕  本考案の目的を達成するため、考案１の麹抽出用バッグは、粉体状の乾燥した麹を、袋状に形成した抽出用袋体に収容した。
【０００７】
〔考案２〕  本考案の目的を達成するために、考案２の麹抽出用バッグは、考案１の麹抽出用バッグにおいて、前記抽出用袋体に収容される麹の量は、当該麹が水分を含んで膨張した場合の体積が前記抽出用袋体の容積よりも小さくなるように調整されている。
【考案の効果】
【０００８】
考案１の麹抽出用バッグによれば、抽出用容器に麹抽出用バッグを入れ、水を注ぎ、約１時間待つだけで麹から抽出された成分（麹成分とする）を含有した麹水を作成することができる。
【０００９】
また、考案２の麹抽出用バッグによれば、効率よく麹水を作成することができる。
【図面の簡単な説明】
【００１０】
【図１】本考案による麹抽出用バッグの実施形態を示す斜視図である。
【考案を実施するための形態】
【００１１】
以下、本考案を図面に示す実施形態に基づいて説明する。
【００１２】
図１において、麹抽出用バッグ１は、お茶等を抽出するのに用いられる抽出用の素材により袋状に形成された抽出用袋体２（以下、単に「袋体２」と称す）内に適量の粉体化した乾燥米麹（粉体化乾燥米麹とする）３を適量収容した構成としている。
【００１３】
袋体２は、図１に示すように、不織布等の繊維、または濾紙、ナイロン材で略ピラミッド型の袋状に形成した構成で、例えば上端に開口２ａを有すると共に開口２ａの両端に縦方向に側辺２ｂが形成された平面四角形の袋を利用しており、上端開口２ａを開いて粉体化乾燥米麹３を袋体２内に所定量充填する。そして、開口２ａの対向する上辺同士を合わせると、前記上辺の長さ方向の中央位置で側辺２ｂの上端部が突き合わされ、開口２ａの上辺同士を例えば熱溶着により閉じる。袋体２は、粉体化乾燥米麹３が漏出しない布目、網目としている。
【００１４】
なお、袋体２は図１に示す構造に限定されるのではなく、三角錐、四角錘等の立体的な構造であっても良く、平面四角形形状であっても良い。また、袋体２には、必要に応じて袋体２を抽出用容器内に垂らす糸を設けても良い。また、図１では、袋体２の底の形状を丸底形状としているが、この構成に限らず、丸底部分を、開口２ａを閉じた閉じ口と垂直に交差するように閉じられた一直線の形状として、全体として袋体２が略テトラ形状となる構成としてもよい。袋体２の形状を、この形状又は図１の形状とすることで、紅茶やお茶などでよく用いられる四角形の平たいティーバッグと比較して麹成分の抽出効率を向上することができる。
【００１５】
麹抽出用バッグ１を図示しない抽出用容器内に入れ、水を加えて例えば約１時間放置すると、抽出用容器内の水に、適量の麹成分が抽出される。すなわち、粉体化乾燥米麹３は、用途に応じた水量や抽出時間等に対して、適量の麹成分を抽出するのに十分な量が袋体２に収容される。例えば、飲料を用途とした場合は、コップやポット等の容器の水量に対して、適量の麹成分を抽出できる十分な量の粉体化乾燥米麹３が袋体２に収容される。また、袋体２についても、用途に応じた水量に対して、例えば複数のサイズを用意し、必要量の粉体化乾燥米麹３を収容できるサイズのものを選択する。なお、麹成分を抽出するに際して、水に限らずお湯を用いてもよい。
【００１６】
一方、袋体２内に収容する粉体化乾燥米麹３は水を吸うと膨らんで体積が増える。この場合、膨張した米麹によって増した全体の体積が袋体２の容積よりも少なくなる量を袋体２に収容するのが好ましい。これは、前記膨張した米麹同士が密着すると、膨張した米麹からの麹成分の抽出効率が低下するからである。上記した麹成分の抽出条件を考慮すると、適量の粉体化乾燥米麹３を収容でき且つ粉体化乾燥米麹３が膨張した場合でも容積に余裕のある袋体２を用いることが好ましい。
【００１７】
粉体化乾燥米麹３は、乾燥した米麹より製造される。本実施形態では、乾燥した米麹をミキサーにより粉砕し、粉体化して粉体化乾燥米麹３を製造する。乾燥した米麹をミキサーではなく、ミル等の粉砕機で粉砕して粉体化することもできる。また、粉体化乾燥米麹３は、米麹単体から製造したものに限らず、例えば、米麹と豆麹とを混合したものなど、他の麹と混合したものから製造してもよい。
【００１８】
前記抽出用容器の形状等は特に限定されるものではなく、一般的に使用されるコーヒーポット、ティーポット、麦茶等のお茶の抽出用のポット等が使用できる。作成された麹水は、化粧水、飲料水として使用することができる。
【００１９】
本実施形態の麹抽出用バッグ１によれば、米麹を粉体化することで、短時間に麹成分を抽出することができ、しかも袋体に収容してバッグ化しているため、麹成分を簡単に抽出することができる。
【００２０】
〔変形例〕
【００２１】
なお、上記実施の形態においては、原料として米麹を用いたが、これに限らず、本発明の主旨を逸脱しない範囲で他の場合にも適用可能である。例えば、麦麹、豆麹その他任意の麹を用いることができる。
【符号の説明】
【００２２】
１…麹抽出用バッグ、  ２…抽出用袋体、  ２ａ…開口    ２ｂ…側辺    ３…粉体化乾燥米麹
【図１】
0003225868.tif 000003